(57)【要約】【課題】小型化に有利になる電気コネクタを提供する。【解決手段】本発明の電気コネクタは、基部と、前記基部から突出するように形成された嵌合部とを含む絶縁本体と、前記絶縁本体に装着される信号端子及びパワー端子と、を含む。前記嵌合部は対向するように配置される両端壁を設け、各端壁には前記基部を貫通する収容溝が形成し、前記パワー端子が前記収容溝に装着されることを特徴とする。電気コネクタのパワー端子が絶縁本体の端壁に装着されることによって、絶縁本体の長さが減少できるので、電気コネクタの小型化に有利になっている。【選択図】図４
2009170407.tif 000002
【特許請求の範囲】
【請求項１】
基部と、前記基部から突出するように形成された嵌合部とを含む絶縁本体と、
前記絶縁本体に装着される信号端子及びパワー端子と、
を含む電気コネクタにおいて、
前記嵌合部には、対向するように配置される両端壁を設け、
各端壁には、前記基部を貫通する収容溝が形成され、前記パワー端子が前記収容溝に装着されることを特徴とする電気コネクタ。
【請求項２】
前記嵌合部は、前記両端壁を連接するために対向するように配置される両側壁を有し、  前記両側壁と両端壁が相手コネクタを収容するための収容空間とが形成されることを特徴とする、請求項１に記載の電気コネクタ。
【請求項３】
前記信号端子には、両側壁に整列で装着され、前記パワー端子が前記収容空間の外方に位置することを特徴とする、請求項２に記載の電気コネクタ。
【請求項４】
前記嵌合部には、前記両側壁に平行に配置されるように前記収容空間に位置する舌片を含み、前記信号端子が前記舌片の両側に整列で装着され、前記パワー端子が前記収容空間に位置することを特徴とする、請求項２に記載の電気コネクタ。
【発明の詳細な説明】
【技術分野】
【０００１】
本発明はコネクタに関し、特に、パワー端子を有する電気コネクタに関するものである。
【背景技術】
【０００２】
従来技術は特許文献１に示すように、従来の電気コネクタは絶縁本体と、絶縁本体に装着される複数の端子とを含む。前記絶縁本体は、対向するように配置される側壁と、中空状の相手コネクタを収容するための収容空間と、両端部に配置される相手コネクタをガイドするための案内ポストとを含み、前記側壁には、前記端子を収容するための端子溝が形成され、前記複数の端子は、信号を伝送するための信号端子とパワーを提供するためのパワー端子とを有し、前記パワー端子の幅が信号端子より広く、前記絶縁本体の端子溝に対応するように装着される際に、前記パワー端子は前記信号端子と並列で配置され、絶縁本体の一端部に隣接して配置される。
【特許文献１】米国特許第６６３８１０４号明細書
【発明の開示】
【発明が解決しようとする課題】
【０００３】
前記従来の電気コネクタでは、パワー端子が信号端子と並列で配置され、パワー端子の幅が信号端子の幅より広いので、前記絶縁本体は前記信号端子とパワー端子を保持するために所定の長度が保有しなければならず、こうして、現在の電気コネクタの小型化の発展に不利になっている。そこで、上述した欠点に鑑みて、新型な電気コネクタを開発することが必要である。
【０００４】
本発明は、小型化に有利になる電気コネクタを提供することを目的とする。
【課題を解決するための手段】
【０００５】
前記目的を達成するために、本発明によれば、基部と、前記基部から突出するように形成された嵌合部とを含む絶縁本体と、前記絶縁本体に装着される信号端子及びパワー端子と、を含む電気コネクタにおいて、前記嵌合部には、対向するように配置される両端壁を設け、各端壁には、前記基部を貫通する収容溝が形成され、前記パワー端子が前記収容溝に装着されることを特徴とする。
【発明の効果】
【０００６】
従来の技術に比べると、本発明には以下の長所がある。電気コネクタのパワー端子が絶縁本体の端壁に装着されることによって、絶縁本体の長さが減少できるので、電気コネクタの小型化に有利になっている。
【発明を実施するための最良の形態】
【０００７】
図１〜図３に基づいて、本発明の電気コネクタについての実施形態を説明する。本発明の電気コネクタは、絶縁本体１と、複数の信号を伝送するための信号端子としてのコンタクト２と、パワー端子３と、絶縁本体１に覆うシールドシェル４と、絶縁本体１に保持されるナット部材５と、を有する。
【０００８】
絶縁本体１は、長手方向での基部１１と、基部１１から突出する嵌合部１２とを有する。嵌合部１２は、長手方向での対向するように配置される一対の側壁１２１と、前記一対の側壁１２１を連接するために対向するように配置される一対の端壁１２２とを有し、前記両側壁１２１と両端壁１２２とは、相手コネクタ６を嵌合するための収容空間１０を囲んで形成される。前記各側壁１２１には、前記コンタクト２を収容するために収容空間１０に連通する端子溝（参照記号なし）が設けられ、前記信号端子としてのコンタクト２が前記端子溝に整列で装着される。前記端壁１２２の末端には、錐体形を呈するガイド部１２３が一体に成型するように形成し、前記端壁１２２の外壁には、前記基部１１及びガイド部１２３を貫通するように前記パワー端子３を収容するための収容溝１２０が形成されている。前記基部１１の両端部には、前記ナット部材５を収容するための保持孔１１０が形成され、本発明の電気コネクタは、ネジ等部材がナット部材５に係合することによって回路基板（図示せず）に実装される。
【０００９】
前記パワー端子３は、保持部３１と、保持部３１の一端から延出する接触部３２と、保持部３１の他端から延出するテール部３３とを含み、前記接触部３２の末端は、相手コネクタ６の端子をガイドするための斜面状を呈する案内部３２１を有する。該パワー端子３が前記収容空間１０の外方に位置すると共に前記収容溝１２０に収容すると共に端壁１２２の外側を突出しないことによって、外部の部材がパワー端子３に接触することを防止できる。
【００１０】
前記シールドシェル４が前記嵌合部１２に覆うことによって、信号端子としてのコンタクト２のサイズが減少できる。
【００１１】
本発明のパワー端子３が絶縁本体１の端壁１２２の収容溝１２０に収容されているため、従来技術のパワー端子がコンタクトと並列で配置することに比べて、絶縁本体１の側壁１２１の長さが減少され、電気コネクタの小型化に有利になっている。また、パワー端子３は、端壁１２２の収容溝１２０に収容して信号端子としてのコンタクト２と並列で配置されず、パワー端子３と信号端子としてのコンタクト２のサイズが減少できる。
【００１２】
図２に示す電気コネクタに嵌合する相手コネクタ６は、基部６５と基部６５から突出する嵌合部６６とを含み、前記嵌合部６６は、対向する両端壁６０と両端壁を連接するために対応する両側壁６４とを含み、前記両端壁６０及び両側壁６４が電気コネクタを嵌合するための収容空間６２を形成し、前記収容空間６２には前記側壁６４に平行に配置される舌片６２が形成され、相手コネクタ６の相手信号端子（参照記号なし）が前記舌片６２の両側に整列で配置され、電気コネクタのパワー端子３に接触するための相手パワー端子６１が相手コネクタ６の端壁６０に配置され、パワー端子３が前記収容空間６２に配置される。
【００１３】
以上本発明についてよい実施の形態を参照して詳細に説明したが、実施形態はあくまでも例示的なものであり、これらに限定されるものではない。また前記の説明は、本発明に基づきなしうる細部の修正或は変更など、いずれも本発明の請求範囲に属するものとする。
【図面の簡単な説明】
【００１４】
【図１】本発明に係る電気コネクタの斜視図である。
【図２】本発明に係る電気コネクタと相手コネクタとの斜視図である。
【図３】本発明に係る電気コネクタの分解斜視図である。
【図４】図１に示す電気コネクタのＡ-Ａ線に沿う断面図である。
【符号の説明】
【００１５】
１  絶縁本体
２  コンタクト
３、６１  パワー端子
３１  保持部
３２  接触部
３３  テール部
４  シールドシェル
５  ナット部材
６  相手コネクタ
６２  舌片
１０  収容空間
１１、６５  基部
１２、６６  嵌合部
１１０  保持孔
１２０  収容溝
１２１、６４  側壁
１２２、６０  端壁
１２３  ガイド部
【図１】
2009170407.tif 000003
【図２】
2009170407.tif 000004
【図３】
2009170407.tif 000005
【図４】
2009170407.tif 000006